(57)【特許請求の範囲】
【請求項１】
扉取付け用固定部（１）に揺動開閉自在に取付けられる一対の開閉扉（２Ａ，２Ｂ）のうち、一方の開閉扉（２Ｂ）に取付けられるケーシング（７）に、前記扉取付け用固定部（１）に設けられた被係止部（３）に対して係合及び係合解除自在な係止部材（４）と、該係止部材（４）を係合位置に突出付勢する突出付勢体（８）と、前記係止部材（４）の被接当面（４ｂ）と接当して該係止部材（４）の係合解除位置への移動を阻止する揺動自在なロック部材（５）と、該ロック部材（５）をロック解除位置に復帰付勢する復帰付勢体（６）と、一方の開閉扉（２Ｂ）が閉じ姿勢にある状態で他方の開閉扉（２Ａ）が閉じ位置に揺動操作されたとき、この他方の開閉扉（２Ａ）との接当に伴ってロック解除位置にあるロック部材（５）をロック位置に揺動させる作動アーム（９）とを組み付けるとともに、前記係止部材（４）の係合部（４Ａ）には、前記ロック部材（５）がロック解除位置に付勢保持されている状態で扉取付け用固定部（１）の被係止部（３）に対して扉開閉方向から接当したとき、該係止部材（４）を突出付勢体（８）の付勢力に抗して係止解除位置に移動させるカム面（４ａ）を形成し、更に、前記係止部材（４）の被接当面（４ｂ）には、ロック位置よりもロック解除位置側にあるロック部材（５）の先端（５ｂ）と係合可能な凹部（１１）を形成してある開閉扉用ロック装置。
【請求項２】
扉取付け用固定部（１）に揺動開閉自在に取付けられる一対の開閉扉（２Ａ，２Ｂ）のうち、一方の開閉扉（２Ｂ）に取付けられるケーシング（７）に、前記扉取付け用固定部（１）に設けられた被係止部（３）に対して係合及び係合解除自在な係止部材（４）と、該係止部材（４）を係合位置に突出付勢する突出付勢体（８）と、前記係止部材（４）の被接当面（４ｂ）と接当して該係止部材（４）の係合解除位置への移動を阻止する揺動自在なロック部材（５）と、該ロック部材（５）をロック解除位置に復帰付勢する復帰付勢体（６）と、一方の開閉扉（２Ｂ）が閉じ姿勢にある状態で他方の開閉扉（２Ａ）が閉じ位置に揺動操作されたとき、この他方の開閉扉（２Ａ）との接当に伴ってロック解除位置にあるロック部材（５）をロック位置に揺動させる作動アーム（９）とを組み付けるとともに、前記係止部材（４）の係合部（４Ａ）には、前記ロック部材（５）がロック解除位置に付勢保持されている状態で扉取付け用固定部（１）の被係止部（３）に対して扉開閉方向から接当したとき、該係止部材（４）を突出付勢体（８）の付勢力に抗して係止解除位置に移動させるカム面（４ａ）を形成し、更に、前記係止部材（４）の被接当面（４ｂ）を、ロック位置よりもロック解除位置側にあるロック部材（５）の先端（５ｂ）と接当したとき、該ロック部材（５）のロック解除位置側への揺動を阻止可能な傾斜面に形成してある開閉扉用ロック装置。
【請求項３】
前記ロック部材（５）が、前記係止部材（４）の移動方向に対して直交又はほぼ直交する軸芯（Ｘ）周りで揺動自在に構成されているとともに、前記ロック部材（５）がロック位置にあるとき、前記揺動軸芯（Ｘ）を通る係止部材（４）の移動方向と平行な線分（Ｙ）上又はその線分（Ｙ）よりもロック揺動側に越えた位置において、該ロック部材（５）の先端（５ｂ）と前記係止部材（４）の被接当面（４ａ）とが接当するように構成されている請求項１又は２記載の開閉扉用ロック装置。
【請求項４】
前記凹部（１１）が、前記ロック部材（５）の揺動方向に複数形成されている請求項１記載の開閉扉用ロック装置。
【請求項５】
前記ロック部材（５）が、前記係止部材（４）の移動方向に対して直交又はほぼ直交する軸芯（Ｘ）周りで回動する揺動軸部（５Ａ）に、前記係止部材（４）の被接当面（４ｂ）に接当するロックアーム部（５Ｂ）を一体形成して構成されているとともに、前記揺動軸部（５Ａ）の一端側に前記作動アーム（９）が一体形成されている請求項１〜４のいずれか１項に記載の開閉扉用ロック装置。
【請求項６】
前記ロック部材（５）の揺動軸部（５Ａ）が、前記係止部材（４）の中心線（Ｚ）に対して前記ケーシング（７）の扉取付け面（７ａ）側に偏位して配置されている請求項１〜５のいずれか１項に記載の開閉扉用ロック装置。
【請求項７】
前記作動アーム（９）の長手方向中間部が揺動軸部（５Ａ）に連設されているとともに、前記作動アーム（９）の扉接当面（Ｐ）とケーシング（７）の扉取付け面（７ａ）とが、前記作動アーム（９）の扉接当面（Ｐ）が他方の開閉扉（２Ａ）に面接当した扉閉止時に面一又はほぼ面一状態となるように構成されている請求項１〜６のいずれか１項に記載の開閉扉用ロック装置。
【請求項８】
前記ケーシング（７）が、一方の開閉扉（２Ｂ）に向かって開口するケース（３１）と、該ケース（３１）の開口を閉止する蓋体（３２）とから構成されていて、前記ケース（３１）には、ロック部材（５）の揺動軸部（５Ａ）を回動自在に受け止める軸受け部（３１Ｂ）を形成するとともに、前記蓋体（３２）には、該蓋体（３２）をケース（３１）に固定したとき、前記軸受け部（３１Ｂ）に受け止められた揺動軸部（５Ａ）の抜け出しを相対回動可能な状態で接当阻止する軸押え部（３２Ａ）が形成されている請求項１〜７のいずれか１項に記載の開閉扉用ロック装置。
【請求項９】
前記ケース（３１）内には、ケーシング（７）の扉取付け面（７ａ）側に向かって貫通する取付け孔（３１ａ）を備えた筒状体（３１Ｃ）が形成されているとともに、前記係止部材（４）には、該係止部材（４）の係合位置と係合解除位置とにわたる移動を許容する状態で前記筒状体（３１Ｃ）が貫通する長孔（４Ｃ）を形成し、更に、前記係止部材（４）の前記揺動軸芯（Ｘ）方向の両側面に設けた突片（４Ｄ）と、該突片（４Ｄ）に対して係止部材（４）の移動方向で相対向するケース（３１）内の受け面（３１Ｄ）との間の各々に、前記突出付勢体（８）を構成するコイルスプリング（８Ａ，８Ｂ）を介装してある請求項８記載の開閉扉用ロック装置。
【発明の詳細な説明】
【０００１】
【発明の属する技術分野】
本発明は、シンクキャビネットや吊り戸棚或いは食器棚、書棚等に装備される観音開き型式の一対の開閉扉のうち、閉止姿勢にある一方の開閉扉を、他方の開閉扉の閉動を利用して扉取付け用固定部にロックする場合に用いられるロック装置の改良に関する。
【０００２】
【従来の技術】
従来の開閉扉用ロック装置では、図１２（イ）、（ロ）に示すように、扉取付け用固定部に揺動開閉自在に取付けられる一対の開閉扉２Ａ，２Ｂのうち、一方の開閉扉２Ｂに、扉内面側に突出する板状のブラケット５０を取付け、このブラケット５０に固着された上下方向に貫通する筒状ガイド部材５１に、扉取付け用固定部に固着されたＬ字状の被係止部材５２に対して下方から係合するロック部材５３を上下方向に沿って摺動自在に挿入するとともに、前記ロック部材５３とブラケット５０との間に亘って、該ロック部材５３をロック解除位置側である下方に移動付勢するコイルスプリング５４を設け、更に、前記ロック部材５３の下端部には、他方の開閉扉２Ａの内面に設けられたほぼへの字状のカム板５５との接当に伴ってロック部材５３をコイルスプリング５４の弾性付勢力に抗してロック位置に強制作動させるローラ５６を枢着していた（例えば、実開昭５５−３５１１３号公報参照）。
【０００３】
【発明が解決しようとする課題】
上述のロック装置によれば、両開閉扉２Ａ，２Ｂが閉じ姿勢にある状態では、一方の開閉扉２Ｂ側のローラ５６が他方の開閉扉２Ａ側のカム板５５に乗り上げているため、一方の開閉扉２Ｂを開き操作しても開動することがなく、両開閉扉２Ａ，２Ｂを常に所定の操作順位で確実に開き作動させることができるものの、一方の開閉扉２Ｂには、ロック部材５３及びコイルスプリング５４を備えたブラケット５０を取付け、かつ、他方の開閉扉２Ａにも、ローラ５６との位置を合わせながらカム板５５を取付けなければならないため、開閉扉２Ａ，２Ｂに対する取付け作業に多くの手間を要する。
しかも、他方の開閉扉２Ａが開いている状態、つまり、他方の開閉扉２Ａのカム板５５が一方の開閉扉２Ｂのローラ５６から離脱している状態では、前記コイルスプリング５４によってロック部材５３がロック解除位置に付勢保持されているため、一方の開閉扉２Ｂが扉取付け用固定部に対して非係止状態となり、一方の開閉扉２Ｂが振動等によって不用意に開くことがあった。
このような一方の開閉扉２Ｂの不用意な開動を防止するためには、一方の開閉扉２Ｂに、前記扉取付け用固定部に設けられた第２被係止部材に対して係合及び係合解除自在で、かつ、前記扉取付け用固定部の第２被係止部に対して扉開閉方向から接当したとき、該第２係止部材を係止解除位置に移動させるためのカム面を備えた第２係止部材と、該第２係止部材を係合位置に突出付勢するコイルスプリングとを別途取付ける必要があり、開閉扉に対する取付け部品点数の増加によってコストの高騰化と取付け作業能率の低下を招来する問題があった。
【０００４】
本発明は、上述の実情に鑑みてなされたものであって、その目的は、両開閉扉を常に所定の操作順位で確実に開き作動させることができるものでありながら、開閉扉に対する取付け作業の容易化、能率化、コストの低廉化を図ることができ、しかも、一対の開閉扉の少なくとも一方に反り等が発生している状況下において、閉止された一方の開閉扉に地震等によって開き方向の外力が作用しても、該開閉扉がロック解除されることを抑制することのできる開閉扉用ロック装置を提供する点にある。
【０００５】
【課題を解決するための手段】
前記目的を達成するために、本発明の請求項１に記載した開閉扉用ロック装置の特徴構成は、扉取付け用固定部に揺動開閉自在に取付けられる一対の開閉扉のうち、一方の開閉扉に取付けられるケーシングに、前記扉取付け用固定部に設けられた被係止部に対して係合及び係合解除自在な係止部材と、該係止部材を係合位置に突出付勢する突出付勢体と、前記係止部材の被接当面と接当して該係止部材の係合解除位置への移動を接当阻止する揺動自在なロック部材と、該ロック部材をロック解除位置に復帰付勢する復帰付勢体と、一方の開閉扉が閉じ姿勢にある状態で他方の開閉扉が閉じ位置に揺動操作されたとき、この他方の開閉扉との接当に伴ってロック解除位置にあるロック部材をロック位置に揺動させる作動アームとを組み付けるとともに、前記係止部材の係合部には、前記ロック部材がロック解除位置に付勢保持されている状態で扉取付け用固定部の被係止部に対して扉開閉方向から接当したとき、該係止部材を突出付勢体の付勢力に抗して係止解除位置に移動させるカム面を形成し、更に、前記係止部材の被接当面には、ロック位置よりもロック解除位置側にあるロック部材の先端と係合可能な凹部を形成した点にある。
この特徴構成によれば、一方の開閉扉が閉じ姿勢にある状態で他方の開閉扉が閉じ位置に揺動操作されたとき、この他方の開閉扉と接当する作動アームによってロック部材が復帰付勢体の付勢力に抗してロック位置に揺動され、係合位置にある係止部材の係合解除位置への移動を接当阻止する。
また、他方の開閉扉が開き操作されると、ロック部材が復帰付勢体の付勢力によってロック位置からロック解除位置に復帰するが、前記係止部材は突出付勢体によって係合位置に付勢保持されているため、一方の開閉扉は閉止姿勢に係止保持される。
更に、他方の開閉扉が開き操作されている状態では、ロック部材が復帰付勢体の付勢力によってロック解除位置に保持されているため、閉止姿勢に係止保持されている一方の開閉扉に開き方向の操作力を加えると、係合位置にある係止部材のカム面が扉取付け用固定部側の被係止部と接当して、該係止部材を突出付勢体の付勢力に抗して係止解除位置に移動させるから、一方の開閉扉を自由に開閉操作することができる。
更にまた、一対の開閉扉の少なくとも一方に反り等が発生して、前記両開閉扉間のケーシング取付け相当箇所で開閉方向の段差が生ずると、両開閉扉を閉止しても、他方の開閉扉にて作動アームが所定位置にまで押圧移動されないため、ロック部材がロック位置まで揺動されなくなる。その結果、この状態で地震等によって開閉扉に開き方向の外力が作用して、係合位置にある係止部材のカム面と扉取付け用固定部側の被係止部との接当に伴って該係止部材に係止解除位置側への移動分力が作用したとき、前記ロック部材がロック解除位置に揺動されるため、これに連動する作動アームによって他方の開閉扉が強制的に押し開かれる可能性がある。
しかし、本願発明では、前記両開閉扉を閉止しても、両開閉扉間のケーシング取付け相当箇所で発生した開閉方向の段差によって、ロック部材がロック位置にまで揺動されない場合でも、この状態で地震等によって一方の開閉扉に開き方向の外力が作用して、前記係止部材に係止解除位置側への移動分力が作用したとき、つまり、前記移動分力によって係止部材が係止解除位置側に移動したとき、該係止部材の被接当面に形成された凹部が、ロック位置よりもロック解除位置側にあるロック部材の先端に係合するから、ロック部材がロック解除位置に揺動されることがなく、両開閉扉は閉止姿勢に保持されることになる。
従って、従来装置のように、他方の開閉扉が開き操作されている状態で一方の開閉扉を扉取付け用固定部に閉止姿勢で係止保持するための係止金具を設ける必要がなく、また、前記ケーシングには、係止部材、突出付勢体、ロック部材、作動アーム、復帰付勢体が組み付けられているから、一方の開閉扉にケーシングのみを取付けるだけで済み、従来装置に比して取付け作業の容易化、能率化、コストの低廉化を図ることができる。
しかも、両開閉扉を閉止しても、両開閉扉間のケーシング取付け相当箇所に発生した開閉方向の段差によって、ロック部材がロック位置にまで揺動されていない状況下において、地震等によって開閉扉に開き方向の外力が作用しても、該開閉扉のロックが解除されることを抑制することができる。
【０００６】
本発明の請求項２に記載した開閉扉用ロック装置の特徴構成は、扉取付け用固定部に揺動開閉自在に取付けられる一対の開閉扉のうち、一方の開閉扉に取付けられるケーシングに、前記扉取付け用固定部に設けられた被係止部に対して係合及び係合解除自在な係止部材と、該係止部材を係合位置に突出付勢する突出付勢体と、前記係止部材の被接当面と接当して該係止部材の係合解除位置への移動を阻止する揺動自在なロック部材と、該ロック部材をロック解除位置に復帰付勢する復帰付勢体と、一方の開閉扉が閉じ姿勢にある状態で他方の開閉扉が閉じ位置に揺動操作されたとき、この他方の開閉扉との接当に伴ってロック解除位置にあるロック部材をロック位置に揺動させる作動アームとを組み付けるとともに、前記係止部材の係合部には、前記ロック部材がロック解除位置に付勢保持されている状態で扉取付け用固定部の被係止部に対して扉開閉方向から接当したとき、該係止部材を突出付勢体の付勢力に抗して係止解除位置に移動させるカム面を形成し、更に、前記係止部材の被接当面を、ロック位置よりもロック解除位置側にあるロック部材の先端と接当したとき、該ロック部材のロック解除位置側への揺動を阻止可能な傾斜面に形成した点にある。
この構成によれば、前記両開閉扉を閉止しても、両開閉扉間のケーシング取付け相当箇所で発生した開閉方向の段差によって、ロック部材がロック位置にまで揺動されない場合でも、この状態で地震や人為操作等によって一方の開閉扉に開き方向の外力が作用して、前記係止部材に係止解除位置側への移動分力が作用したとき、つまり、前記移動分力によって係止部材が係止解除位置側に移動して、該係止部材の傾斜姿勢の被接当面が、ロック位置よりもロック解除位置側にあるロック部材の先端に接当したとき、このロック部材のロック解除位置側への揺動を接当阻止するから、両開閉扉は閉止姿勢に保持されることになる。
従って、第１請求項の開閉扉用ロック装置と同様に、従来装置のように、他方の開閉扉が開き操作されている状態で一方の開閉扉を扉取付け用固定部に閉止姿勢で係止保持するための係止金具を設ける必要がなく、また、前記ケーシングには、係止部材、突出付勢体、ロック部材、作動アーム、復帰付勢体が組み付けられているから、一方の開閉扉にケーシングのみを取付けるだけで済み、従来装置に比して取付け作業の容易化、能率化、コストの低廉化を図ることができる。
しかも、両開閉扉を閉止しても、両開閉扉間のケーシング取付け相当箇所に発生した開閉方向の段差によって、ロック部材がロック位置にまで揺動されていない状況下において、地震等によって開閉扉に開き方向の外力が作用しても、該開閉扉のロックが解除されることを抑制することができる。
【０００７】
本発明の請求項３に記載した開閉扉用ロック装置の特徴構成は、前記ロック部材が、前記係止部材の移動方向に対して直交又はほぼ直交する軸芯周りで揺動自在に構成されているとともに、前記ロック部材がロック位置にあるとき、前記揺動軸芯を通る係止部材の移動方向と平行な線分上又はその線分よりもロック揺動側に越えた位置において、該ロック部材の先端と前記係止部材の被接当面とが接当するように構成されている点にある。
この特徴構成によれば、両開閉扉が閉止姿勢にある状態で一方の開閉扉に開き方向の外力（開き操作力を含む）が作用したとき、係止部材のカム面と扉取付け用固定部側の被係止部との接当に伴って該係止部材を係止解除位置へ移動させる分力が発生するが、このときの分力を、前記揺動軸芯を通る係止部材の移動方向と平行な線分上において、又はその線分よりもロック揺動側へのモーメントが発生する状態でロック部材に受止めさせることができるから、ロック位置にあるロック部材がロック解除側に揺動されることを防止又は抑制することができる。
【０００８】
本発明の請求項４に記載した開閉扉用ロック装置の特徴構成は、前記凹部が、前記ロック部材の揺動方向に複数形成されている点にある。
この特徴構成によれば、前記両開閉扉を閉止しても、両開閉扉間のケーシング取付け相当箇所で発生した開閉方向の段差によって、ロック部材がロック位置にまで揺動されない状況下において、地震や人為操作等によって一方の開閉扉に開き方向の外力が作用して、前記係止部材に係止解除位置側への移動分力が作用したとき、該係止部材の被接当面に形成された複数の凹部のいずれかが、ロック位置よりも係合解除位置側にあるロック部材の先端に係合し易くなり、その結果、ロック部材がロック解除位置に揺動されることを一層良好に抑制することができる。
【０００９】
本発明の請求項５に記載した開閉扉用ロック装置の特徴構成は、前記ロック部材が、前記係止部材の移動方向に対して直交又はほぼ直交する軸芯周りで回動する揺動軸部に、前記係止部材の被接当面に接当するロックアーム部を一体形成して構成されているとともに、前記揺動軸部の一端側に前記作動アームが一体形成されている点にある。
この特徴構成によれば、前記ロック部材及び作動アームを一部品として取り扱うことができるから、部品点数の減少によって組付作業の容易化を図ることができる。
【００１０】
本発明の請求項６に記載した開閉扉用ロック装置の特徴構成は、前記ロック部材の揺動軸部が、前記係止部材の中心線に対して前記ケーシングの扉取付け面側に偏位して配置されている点にある。
この特徴構成によれば、ロック部材の揺動ストロークを、前記係止部材の係合位置と係合解除位置とにわたる移動代に相当する長さに構成しながらも、前記ロック部材の揺動軸部が係止部材の中心線に対して扉取付け面側に偏位した分だけ、扉取付け面に対して直交する方向でのケーシングの厚みを小さくすることができる。
【００１１】
本発明の請求項７に記載した開閉扉用ロック装置の特徴構成は、前記作動アームの長手方向中間部が前記ロック部材の揺動軸部に連設されているとともに、前記作動アームの扉接当面とケーシングの扉取付け面とが、前記作動アームの扉接当面が他方の開閉扉に面接当した扉閉止時に面一又はほぼ面一となるように構成されている点にある。
この特徴構成によれば、前記作動アームを利用して閉止操作された両開閉扉を面一又はほぼ面一状態に保持することができるから、扉の召し合わせ構造の簡素化及びコストの低廉化を図ることができる。
【００１２】
本発明の請求項８に記載した開閉扉用ロック装置の特徴構成は、前記ケーシングが、一方の開閉扉に向かって開口するケースと、該ケースの開口を閉止する蓋体とから構成されていて、前記ケースには、ロック部材の揺動軸部を回動自在に受け止める軸受け部を形成するとともに、前記蓋体には、該蓋体をケースに固定したとき、前記軸受け部に受け止められた揺動軸部の抜け出しを相対回動可能な状態で接当阻止する軸押え部が形成されている点にある。
この特徴構成によれば、前記ケーシングにロック部材を組み付ける際、ケースの軸受け部にロック部材の揺動軸部を載置し、この状態で蓋体をケースに固定するだけで、軸受け部に受け止められた揺動軸部の抜け出しを蓋体に設けた軸押え部にて接当阻止することができるから、組付作業の容易化、能率化を図ることができる。
【００１３】
本発明の請求項９に記載した開閉扉用ロック装置の特徴構成は、前記ケース内に、ケーシングの扉取付け面側に貫通する取付け孔を備えた筒状体が形成されているとともに、前記係止部材には、該係止部材の係合位置と係合解除位置とにわたる移動を許容する状態で前記筒状体が貫通する長孔を形成し、更に、前記係止部材の前記揺動軸芯方向の両側面に設けた突片と、該突片に対して係止部材の移動方向で相対向するケース内の受け面との間の各々に、前記突出付勢体を構成するコイルスプリングを介装した点にある。
この特徴構成によれば、前記ケーシングに係止部材及び突出付勢体を構成するコイルスプリングを組み付ける際、ケース内の筒状体に係止部材の長孔を嵌め込むことによって、ケースに対する移動範囲が係合位置と係合解除位置とにわたる移動範囲に規制することができるから、前記係止部材の両側面に設けた突片とケース内の受け面との間にそれぞれコイルスプリングを介装するとき、該係止部材が飛び出さないように一々保持する必要がなく、組付作業の容易化を促進することができる。しかも、ケーシングを開閉扉に固定するための取付け孔を形成する筒状体を利用することと、前記係止部材には、筒状体が係入する長孔が形成されていることとにより、ケースの構造の簡素化と係止部材の軽量化とを図ることができる。
【００１４】
【発明の実施の形態】
〔第１実施形態〕
図１〜図９に示すように、扉取付け用固定部１の左右の側板（又は縦框）１Ａ，１Ｂの各々に縦軸芯周りで揺動開閉自在に取付けられる一対の開閉扉２Ａ，２Ｂのうち、他方の開閉扉２Ａの上下方向中央部に、一方の開閉扉２Ｂに設けられた第１被係止部１３に水平又はほぼ水平方向から係合して両開閉扉２Ａ，２Ｂを閉じ姿勢に保持するラッチ本体１４と、他方の開閉扉２Ａの前面側からの操作によって前記ラッチ本体１４を係合解除作動させる操作軸１６とを備えた鍵装置Ａを設けてある。
また、前記一方の開閉扉２Ｂの上下両端部の各々には、扉取付け用固定部１の天板（又は上框）１Ｃ及び底板（又は下框）１Ｄの各々に設けられた第２被係止部３に対して上下方向から係合及び係合解除自在な係止部材４と、該係止部材４を係合位置に突出付勢するための突出付勢体８を構成する一対のコイルスプリング８Ａ，８Ｂと、前記係止部材４の基端側に形成された被接当面４ｂと接当して該係止部材４の係合解除位置への移動を阻止する揺動自在なロック部材５と、該ロック部材５をロック解除位置に復帰付勢するための復帰付勢体の一例である捩じりコイルバネ６と、一方の開閉扉２Ｂが閉じ姿勢にある状態で他方の開閉扉２Ａが閉じ位置に揺動操作されたとき、この他方の開閉扉２Ａとの接当に伴ってロック解除位置にあるロック部材５をロック位置に揺動させる作動アーム９とをケーシング７に組み付けてなるロック装置Ｂが取付けられている。
更に、前記係止部材４の係合部４Ａには、前記ロック部材５がロック解除位置に付勢保持されている状態で扉取付け用固定部１の第２被係止部３に対して扉開閉方向から接当したとき、該係止部材４を一対のコイルスプリング８Ａ，８Ｂの付勢力に抗して係止解除位置に移動させるカム面４ａが形成されている。
【００１５】
次に、前記鍵装置Ａの具体的構成について説明する。
図３（イ）、（ロ）及び図４に示すように、他方の開閉扉２Ａの一側面にビス等で取付けられるＡＢＳ樹脂製のケーシング１０に、当該ケーシング１０に形成された開口１２を通して一方の開閉扉２Ｂに設けられた第１被係止部１３に係合可能な係合部１４Ａを備えたジュラコン樹脂製のラッチ本体１４と、当該ラッチ本体１４を係合側に突出付勢するための弾性付勢体の一例である一対のコイルスプリング１５、及び、前記ラッチ本体１４の出退方向に対して直交する方向（ほぼ直交方向を含む）に移動自在なジュラコン樹脂製の筒状の操作軸１６とを設けるとともに、前記ラッチ本体１４には、前記操作軸１６の一端部に設けた押圧体１７と接当し、かつ、その接当状態での操作軸１６の開閉扉２Ａの表面側への引張操作に連れて前記ラッチ本体１４を両コイルスプリング１５の弾性復元力に抗して係合解除位置に移動させるカム面１８を形成し、更に、前記操作軸１６の他端部には、当該操作軸１６の一端側（開閉扉Ａの裏面側）から挿入した連結ボルト１９を介して摘み等の操作部材２０を固定連結してある。
【００１６】
前記ケーシング１０は、前記操作軸１６の他端側に向かって開口するケース２１と、当該ケース２１の開口を閉止する状態で当該ケース２１の開口周縁に形成された段部に着脱自在に嵌合保持される蓋体２２とから構成されているとともに、前記蓋体２２には、前記操作軸１６の他端部側を軸芯方向に沿って摺接移動自在に案内する円筒状のガイド筒部２２Ａが突出形成されている。
【００１７】
前記ケース２１の側壁２１Ａの長辺方向に沿う内面の各々には、前記ラッチ本体１４のうち、該ラッチ本体１４の出退方向及び操作軸１６の軸芯方向に対して共に直交する方向の両側面の各々に突出形成したバネ受け部１４Ｂが前記出退方向に沿って移動自在に係入する凹部２１Ｂが形成されているとともに、前記各凹部２１Ｂのうち、ラッチ本体１４のバネ受け部１４Ｂに形成した円柱状のバネ抜止用突起に相対向する端面の各々を、前記バネ受け部１４Ｂとの間でコイルスプリング１５を保持するためのバネ受け部２１Ｃに構成してある。
また、前記ケース２１の短辺方向に沿う一方の側壁２１Ａには、前記ラッチ本体１４の先端に形成された先窄まり形状（ほぼ三角柱状）の係合部１４Ａが出退移動する開口１２が切欠き形成されている。
【００１８】
前記ケース２１の天板部２１Ｄの内面には、操作軸１６に形成された四角柱状部１６Ａを軸芯方向にのみ摺動自在に案内する一対のガイド板２３が、前記ラッチ本体１４の出退方向に間隔を隔てて一体的に突出形成され、この両ガイド板２３のガイド面の各々には、操作軸１６の四角柱状部１６Ａの外面に軸芯方向に沿って形成された横断面ほぼＶの字状の縦溝１６ａに係合するほぼ三角柱状の突条２３ａが一体成形されている。
【００１９】
前記ラッチ本体１４には、当該ラッチ本体１４の係合位置と係合解除位置とにわたる出退移動を許容する状態で操作軸１６の一端部及び前記両ガイド板２３が入り込む矩形状の貫通孔２４を形成し、この貫通孔２４に臨むラッチ本体１４の内面と操作軸１６の外面とのうち、前記ラッチ本体１４の出退方向及び操作軸１６の軸芯方向に対してそれぞれ直交又はほぼ直交する方向で相対向する部位の各々に、前記カム面１８を備えたほぼＶの字状のカム溝２５と、前記押圧体１７を構成する長円柱状の押圧突起とを形成してある。
前記押圧突起１７は、図３（イ）に示すように、前記ラッチ本体１４が両コイルスプリング１５の弾性復元力でケース２１外方に最大限突出した係合位置に保持されているとき、カム溝２５のカム面１８の山部（頂部）側の一端部（開閉扉２Ａの裏面から最も離れる側の一端部）に位置するように構成されているとともに、この係合状態では、前記操作軸１６の四角柱状部１６Ａに形成された縦溝１６ａの一端部に対して、ケース２１側の両突条２３ａの端面が軸芯方向から当接し、かつ、前記操作部材２０の端面が前記蓋体２２のガイド筒部２２Ａの端面に接触する後述のガイド筒２７に対して軸芯方向から当接するように構成されている。
【００２０】
しかし、前記開閉扉２Ａに対するケーシング１０の取付け位置誤差等によっては、押圧突起１７がカム面１８の山部（頂部）に移動するまでに、ラッチ本体１４の係合部１４Ａの先端が第１被係止部１３に当接して、この当接状態から押圧突起１７がカム面１８の山部（頂部）に位置するまでの範囲において、操作軸１６がラッチ本体１４側に押し込み移動自在となる。つまり、操作軸１６に連結された操作部材２０に前記範囲でガタ付き（遊び）が発生することになるが、当該第１実施形態では、前記蓋体２２のガイド筒部２２Ａ内で、かつ、該ガイド筒部２２Ａの端部に形成した鍔部２２ｂと前記操作軸１６の四角柱状部１６Ａの他端面との間に、操作軸１６を軸芯方向の一端側に移動付勢する、換言すれば、前記操作軸１６の四角柱状部１６Ａに形成された縦溝１６ａの一端部に対して、ケース２１側の両突条２３ａの端面が軸芯方向から当接し、かつ、前記操作部材２０の端面がガイド筒２７の端面に対して軸芯方向から当接するように、前記操作軸１６を軸芯方向の一端側に移動付勢する第２弾性付勢体の一例である圧縮コイルスプリング２６を介在してあるため、操作軸１６に連結された操作部材２０にガタ付き（遊び）が発生することがない。
【００２１】
前記両ガイド板２３の幅方向両端面、及び、この両端面と同じ側に位置する操作軸１６の外面部分の各々が、前記ラッチ本体１４の貫通孔２４に臨む内面との接当によって当該ラッチ本体１４を出退自在に摺動案内するガイド面に構成されているとともに、前記ケース２１の天板部２１Ｄには、前記連結ボルト１９を操作軸１６の筒孔を通して操作部材２０の雌ネジ部に螺合操作するための貫通孔２１ｂが形成されている。
また、前記開閉扉２Ａに形成された貫通孔２８には、操作部材２０の筒部を引張操作自在に摺動案内するＡＢＳ樹脂製のガイド筒２７が取付けられている。
【００２２】
前記第１被係止部１３は、一方の開閉扉２Ｂにビス２９Ａにて固定するための第１ビス孔１３Ａを備えたナイロン樹脂等の合成樹脂製の取付け基材１３Ｂと、該取付け基材１３Ｂにビス２９Ｂにて固定するための第２ビス孔１３Ｃを備えたナイロン樹脂等の合成樹脂製の被係止部材１３Ｄとからなる受け具から構成されている。
そして、前記取付け基材１３Ｂと被係止部材１３Ｄとの相対向する取付け面には、取付け基材１３Ｂに対して被係止部材１３Ｄを取付け面方向に沿う複数位置で係合保持する波形状の係合部１３ｂ，１３ｄを形成するとともに、前記第１ビス孔１３Ａを、開閉扉２Ｂに対する取付け基材１３Ｂの取付け位置変更を一定範囲内で許容する長孔に形成し、更に、前記第２ビス孔１３Ｃを、取付け基材１３Ｂに対する被係止部材１３Ｄの取付け位置変更を一定範囲内で許容する長孔に形成してある。
【００２３】
また、前記ラッチ本体１４の係合部１４Ａの扉背面側は、前後方向（扉厚み方向）及び左右方向に対して共に４５度の角度で傾斜するカム面１４ａに形成されていて、一方の開閉扉２Ｂが閉じ姿勢にある状態で他方の開閉扉２Ａを閉じ位置に揺動操作したとき、前記ラッチ本体１４のカム面１４ａと第１被係止部１３との接当に伴って該ラッチ本体１４が一時的に両コイルスプリング１５の付勢力に抗して係合解除位置側に引退移動したのち、再び両コイルスプリング１５の付勢力で係合位置に突出移動して第１被係止部１３の被係止部材１３Ｄに係合するから、他方の開閉扉２Ａを閉じ位置に揺動操作する度に、前記操作部材２０を係合解除操作する必要がない。
更に、前記ラッチ本体１４の係止面１４ｂ及び第１被係止部１３の係止面１３ａの各々が左右方向（扉開閉方向に対して交差する方向）に沿う姿勢で形成されているため、両開閉扉２Ａ，２Ｂが閉止姿勢にある状態で少なくとも何れか一方に開き方向の外力（地震による衝撃や収納物の落下等で、前記操作部材２０の引張操作以外の操作力も含む）が作用したときでも、前記ロック装置Ｂがロック状態に保持されている限り、両開閉扉２Ａ，２Ｂは閉止姿勢に保持される。
【００２４】
次に、前記ロック装置Ｂの具体的構成について説明する。
図２（イ），（ロ）、図５〜図９に示すように、前記一方の開閉扉２Ｂに対する扉取付け面７ａを備えたＡＢＳ樹脂等の合成樹脂製のケーシング７は、前記扉取付け面７ａ側に向かって開口するケース３１と、該ケース３１の開口を閉止する状態で当該ケース３１の開口周縁に形成された段部に着脱自在に嵌合保持される蓋体３２とから構成されていて、該蓋体３２の表面が前記の扉取付け面７ａに構成されている。
【００２５】
前記ロック部材５は、ＡＢＳ樹脂等の合成樹脂で成形された前記係止部材４の移動方向に対して直交又はほぼ直交する軸芯Ｘ周りで回動する揺動軸部５Ａの軸芯方向中間部分に、前記係止部材４の基端側の被接当面４ｂに接当するほぼレの字状のロックアーム部５Ｂを一体形成して構成されているとともに、前記揺動軸部５Ａの一端部には、他方の開閉扉２Ａに面接当可能な直線状の作動アーム９を一体形成してある。
つまり、前記揺動軸部５Ａとロックアーム部５Ｂとを備えたロック部材５は、前記作動アーム９とジュラコン樹脂等の合成樹脂で一体成形されていて、前記ケーシング７に対して、前記揺動軸部５Ａの一端部に位置する作動アーム９が外部に突出する状態で、かつ、前記揺動軸部５Ａが係止部材４の中心線Ｚに対してケーシング７の扉取付け面７ａ側、換言すれば、蓋体３２側に偏位する状態で組み付けられている。
前記作動アーム９は、その長手方向中間部が揺動軸部５Ａの一端部に連設されているとともに、該作動アーム９の扉接当面Ｐとケーシング７の扉取付け面７ａとが、前記作動アーム９の扉接当面Ｐが他方の開閉扉２Ａに面接当した扉閉止時に面一（扉面と平行な同一平面上に位置する）又はほぼ面一状態となるように構成されている。
そして、前記作動アーム９が、閉止操作された両開閉扉２Ａ，２Ｂを面一状態で接当保持するための召し合わせ部に兼用構成されている。
また、前記揺動軸部５Ａの他端部には、前記捩じりコイルバネ６の一端を係止保持するバネ係止溝５ａを形成するとともに、前記捩じりコイルバネ６の他端を、ケース３１の内面に接当させてある。
【００２６】
前記係止部材４が係合位置に保持され、かつ、ロック部材５のロックアーム部５Ｂがロック位置にあるとき、前記ロックアーム部５Ｂの先鋭な先端５ｂに連なる外側面５ｃ及び係止部材４の被接当面４ｂの各々が、係止部材４の移動方向に対して直交する方向に沿う互いに平行な偏平面に形成され、更に、前記係止部材４が係合位置に保持されている状態でロック部材５のロックアーム部５Ｂがロック位置に揺動されたとき、前記ロックアーム部５Ｂの外側面５ｃと係止部材４の被接当面４ｂとが、前記揺動軸芯Ｘを通る係止部材４の移動方向と平行な線分Ｙよりもロック揺動側に越えた部位にロックアーム部５Ｂの先端５ｂが位置する状態で近接位置するように構成されている。
そして、前記係止部材４の被接当面４ｂには、ロック位置よりもロック解除位置側にあるロックアーム部５Ｂの先端５ｂが係合可能で、かつ、その係合状態では揺動軸芯Ｘ周りでのロックアーム部５Ｂの先端５ｂ移動軌跡と交差する二つ（一つ又は三つ以上であってもよい）のＶ溝状の凹部１１が、前記ロック部材５の揺動方向に所定間隔を隔てて形成されている。
前記凹部１１は、係止部材４がコイルスプリング８Ａ，８Ｂの弾性付勢力で係合位置に保持されている状態では、ロック解除位置にあるロック部材５のロックアーム部５Ｂがロック位置に揺動されても、該ロックアーム部５Ｂの先端５ｂと係合することはない。
【００２７】
また、前記ロックアーム部５Ｂの先端部は、図８の（イ）に示すように、該ロックアーム部５Ｂがロック解除位置にあるとき、前記係止部材４の移動方向にほぼ沿う姿勢に構成され、更に、前記係止部材４の基端部側には、該係止部材４が係合解除位置に移動したとき、ロック解除位置にあるロックアーム部５Ｂの先端部が入り込む凹部４Ｂが形成されている。
そのため、前記係止部材４を係合位置と係合解除位置とに亘って移動自在に構成しながらも、ロックアーム部５Ｂの先端部が係止部材４の凹部４Ｂに入り込む分だけケーシング７をコンパクトに構成することができる。
【００２８】
前記ケース３１の揺動軸芯Ｘ方向で相対向する側壁３１Ａには、ロック部材５の揺動軸部５Ａを回動自在に受け止める軸受け部３１Ｂを形成するとともに、前記蓋体３２の内面には、該蓋体３２をケース３１に嵌合したとき、前記軸受け部３１Ｂに受け止められたロック部材５の揺動軸部５Ａに相対回動可能な状態で接当して該揺動軸部５Ａの抜け出しを阻止する一対の軸押え部３２Ａが形成されている。
また、前記ケース３１及び蓋体３２のうち、前記揺動軸芯Ｘ方向の中央位置で、かつ、前記係止部材４の移動方向に間隔を隔てた２箇所の各々に、一方の開閉扉２Ｂにケーシング７をビス１４にて固定するための取付け孔３１ａ，３２ａを形成するとともに、前記ケース３１内には、扉取付け面７ａ側に向かって貫通する前記取付け孔３１ａを備えた筒状体３１Ｃが形成されているとともに、前記係止部材４には、該係止部材４の係合位置と係合解除位置とにわたる移動を許容する状態で前記筒状体３１Ｃが貫通する長孔４Ｃを形成し、更に、前記係止部材４の前記揺動軸芯Ｘ方向の両側面に設けた突片４Ｄと、該突片４Ｄに対して係止部材４の移動方向で相対向するケース３１内の受け面３１Ｄとの間の各々に、前記コイルスプリング８Ａ，８Ｂを介装してある。
【００２９】
前記ケース３１の内面と蓋体３２の内面には、前記係止部材４の表裏両面の各二箇所に形成された移動方向に沿うＶ字状の係止溝４Ｅに摺動自在に係入する横断面三角形状のガイド突起３１Ｅ，３２Ｂが形成されているとともに、前記ケース３１の一方の側壁３１Ａの扉取付け面７ａ側には、一方の開閉扉２Ｂのケーシング取付け面２ｂに対して直交する端面で、かつ、前記係止部材４の移動方向に沿う端面に接当可能な位置決め用の突条３１Ｆが一体形成されている。
そして、前記ケーシング７を一方の開閉扉２Ｂに取付ける際、該ケーシング７の扉取付け面７ａ側に形成した前記位置決め用の突条３１Ｆを、一方の開閉扉２Ｂの鉛直方向に沿う端面に当て付けることにより、該ケーシング７に組み付けられた係止部材４の鉛直精度を簡単に出すことができる。
【００３０】
前記第２被係止部３は、前記扉取付け用固定部１にビス３５にて固定するための取付け孔３ａと、前記係止部材４の係合部４Ａが係入可能なほぼＶの字状に開口する凹部３ｂとを備えたナイロン等の合成樹脂製の被係止具から構成されている。
【００３１】
尚、前記一方の開閉扉２Ｂは、前記扉取付け用固定部１に固定された第２被係止部３との接当によって閉止位置が決められ、また、他方の開閉扉２Ａは、前記一方の開閉扉２Ｂに設けられたストッパー３７及び前記作動アーム９との接当によって閉止位置が決められていて、その閉止位置では、両開閉扉２Ａ，２Ｂが面一状態となるように構成されている。
【００３２】
そして、上述の如く構成されたロック装置Ｂによれば、一方の開閉扉２Ｂが閉じ姿勢にある状態で他方の開閉扉２Ａが閉じ位置に揺動操作されたとき、この他方の開閉扉２Ｂと接当する作動アーム９によって、ロック解除位置に保持されていたロック部材５が捩じりコイルバネ６の付勢力に抗してロック位置に揺動され、係合位置にある係止部材４の係合解除位置への移動を接当阻止する。
また、他方の開閉扉２Ａが開き操作されると、ロック部材５が捩じりコイルバネ６の付勢力によってロック位置からロック解除位置に復帰するが、前記係止部材４は両コイルスプリング８Ａ，８Ｂによって係合位置に付勢保持されているため、一方の開閉扉２Ｂは閉止姿勢に係止保持される。
更に、他方の開閉扉２Ａが開き操作されている状態では、前記ロック部材５が捩じりコイルバネ６の付勢力でロック解除位置に保持されているから、閉止姿勢に係止保持されている一方の開閉扉２Ｂに開き方向の操作力を加えると、係合位置にある係止部材４のカム面４ａが扉取付け用固定部１側の第２被係止部３の凹部３ｂと接当して、該係止部材４を両コイルスプリング８Ａ，８Ｂの付勢力に抗して係止解除位置に移動させるから、一方の開閉扉２Ｂを自由に開閉操作することができる。
更にまた、一対の開閉扉２Ａ，２Ｂの少なくとも一方に反りが発生したり、或いは、扉取付け用固定部１に対する開閉扉２Ａ，２Ｂの開閉方向（前後方向）での取付け誤差等が発生して、閉止姿勢にある両開閉扉２Ａ，２Ｂ間のケーシング取付け相当箇所で開閉方向の段差が生ずると、両開閉扉２Ａ，２Ｂを閉止しても、他方の開閉扉２Ａにて作動アーム９が所定位置にまで押圧移動されないため、ロック部材５がロック位置まで完全に揺動されなくなる。
この状況下で両開閉扉２Ａ，２Ｂの少なくとも一方に開き方向の外力（地震時の振動や収納物品の落下による衝撃等）が作用して、係合位置にある係止部材４のカム面４ａと扉取付け用固定部１側の第２被係止部３の凹部３ｂとの接当に伴って該係止部材４に係止解除位置側への移動分力が作用したとき、つまり、前記移動分力によって係止部材４が両コイルスプリング８Ａ，８Ｂの付勢力に抗して係止解除位置側へ移動したとき、該係止部材４の被接当面４ｂに形成された複数の凹部１１のいずれかが、ロック位置よりも係合解除位置側にあるロック部材５の先鋭な先端５ｂに係合する。
この係合状態では、図９に示すように、前記揺動軸芯Ｘ周りでのロック部材５の先端５ｂ移動軌跡と凹部１１の内面とが交差するため、前記係止部材４に作用している移動分力に抗して該係止部材４を係合位置側に移動させるだけの力が作用しない限り、ロック部材５はロック解除位置に揺動されることがなく、両開閉扉２Ａ，２Ｂは共に閉止姿勢に保持されることになる。
【００３３】
〔第２実施形態〕
図１０は、上記第１実施形態で説明したロック装置Ｂの係止部材４及びロック部材５の別実施形態を示し、前記係止部材４が係合位置に保持され、かつ、ロック部材５のロックアーム部５Ｂがロック位置にあるとき、前記ロックアーム部５Ｂの先鋭な先端５ｂに連なる外側面５ｃ及び係止部材４の被接当面４ｂの各々が、ロック部材５のロック揺動側（蓋体３２の存在側）の端部ほど該ロック部材５の揺動軸芯Ｘ側に突出する平行又はほぼ平行な傾斜面に形成されているとともに、前記係止部材４が係合位置に保持されている状態でロック部材５のロックアーム部５Ｂがロック位置に揺動されたとき、前記ロックアーム部５Ｂの外側面５ｃと係止部材４の被接当面４ｂとが、前記揺動軸芯Ｘを通る係止部材４の移動方向と平行な線分Ｙよりもロック揺動側に越えた部位にロックアーム部５Ｂの先端５ｂが位置する状態で面接当又は近接位置するように構成されている。
また、前記係止部材４の被接当面４ｂの全域には、ロック位置よりもロック解除位置側にあるロックアーム部５Ｂの先端５ｂが係合可能で、かつ、その係合状態では揺動軸芯Ｘ周りでのロック部材５の先端５ｂ移動軌跡と交差する複数のＶ溝状の凹部１１が、前記ロック部材５の揺動方向に沿って波形状に連続形成されている。
この第２実施形態においても、前記の第１実施形態と同様に、前記移動分力によって係止部材４が両コイルスプリング８Ａ，８Ｂの付勢力に抗して係止解除位置側へ移動したとき、該係止部材４の被接当面４ｂに形成された複数の凹部１１のいずれかが、ロック位置よりも係合解除位置側にあるロック部材５の先鋭な先端５ｂに係合する。
この係合状態では、前記揺動軸芯Ｘ周りでのロック部材５の先端５ｂ移動軌跡と凹部１１の内面とが交差するため、前記係止部材４に作用している移動分力に抗して該係止部材４を係合位置側に移動させるだけの力が作用しない限り、ロック部材５はロック解除位置に揺動されることがなく、両開閉扉２Ａ，２Ｂは共に閉止姿勢に保持されることになる。
その他の構成は、上述の第１実施形態と同一である。
【００３４】
〔第３実施形態〕
図１１は、上記第１実施形態で説明したロック装置Ｂの係止部材４及びロック部材５の別実施形態を示し、前記係止部材４の被接当面４ｂを、ロック位置よりもロック解除位置側にあるロック部材５の先端５ｂと接当したとき、該ロック部材５のロック解除位置への揺動を接当阻止可能な傾斜面、つまり、ロック部材５のロック解除揺動側（ケース３１の天板側）の端部ほど該ロック部材５の揺動軸芯Ｘ側に突出する傾斜面に形成してある。
この構成によれば、前記両開閉扉２Ａ，２Ｂを閉止しても、両開閉扉２Ａ，２Ｂ間のケーシング取付け相当箇所で発生した開閉方向の段差によって、ロック部材５がロック位置にまで揺動されない場合でも、この状態で地震や人為操作等によって一方の開閉扉に開き方向の外力が作用して、前記係止部材４に係止解除位置側への移動分力が作用したとき、つまり、前記移動分力によって係止部材４が係止解除位置側に移動して、該係止部材４の傾斜姿勢の被接当面４ｂが、ロック位置よりもロック解除位置側にあるロック部材５の先端５ｂに接当する。この接当状態では、前記揺動軸芯Ｘ周りでのロック部材５の先端５ｂ移動軌跡と係止部材４の傾斜姿勢の被接当面４ｂとが交差するため、前記係止部材４に作用している移動分力に抗して該係止部材４を係合位置側に移動させるだけの力が作用しない限り、ロック部材５はロック解除位置に揺動されることがなく、両開閉扉２Ａ，２Ｂは共に閉止姿勢に保持されることになる。
その他の構成は、上述の第１実施形態と同一である。
尚、当該第３実施形態では、前記係止部材４の被接当面４ｂを一直線状の傾斜面に形成したが、少し湾曲するような傾斜面に形成してもよい。
要するに、前記係止部材４の被接当面４ｂを構成する傾斜面としては、前記移動分力によって係止部材４が係止解除位置側に移動して、該係止部材４の被接当面４ｂが、ロック位置よりもロック解除位置側にあるロック部材５の先端５ｂに接当したとき、このロック部材５のロック解除位置への揺動を接当阻止する、つまり、揺動軸芯Ｘ周りでのロック部材５の先端５ｂ移動軌跡と交差する傾斜面であればよく、好ましくは、ロック部材５の先端５ｂをロック位置側に押圧付勢できるものであれば一層よい。
【００３５】
〔その他の実施形態〕
▲１▼  上述の各実施形態では、前記作動アーム９をロック部材５と一体形成したが、該作動アーム９を、ロック部材５の揺動軸芯Ｘと平行な軸芯周りで揺動自在にケーシング７に組み付けるとともに、この作動アーム９とロック部材５とをギヤやリンク等の機械的手段で連動させてもよい。
▲２▼  上述の各実施形態では、前記突出付勢体８を一対のコイルスプリング８Ａ，８Ｂから構成したが、一つのコイルスプリングから構成してもよく、また、皿バネや弾性ゴム等の他の弾性付勢体を用いて実施してもよい。
▲３▼  上述の各実施形態では、前記復帰付勢体６を捩じりコイルバネから構成したが、コイルスプリング等の他の弾性付勢体から構成して実施してもよい。
▲４▼  上述の各実施形態では、前記第２被係止部３を、扉取付け用固定部１とは別体の被係止具から構成したが、この第２被係止部３は、扉取付け用固定部１に切削形成された溝状のものであってもよい。
▲５▼  上述の各実施形態では、食器棚や書棚等の家具の観音開き式開閉扉に設けられるロック装置Ｂについて説明したが、建具の観音開き式開閉扉に設けられるロック装置Ｂに対しても本発明の技術を適用することができる。
▲６▼  上述の各実施形態では、前記一方の開閉扉２Ｂの上下二箇所にロック装置Ｂを設けたが、開閉扉２Ｂの上下方向のいずれか一箇所にロック装置Ｂを設けて実施してもよい。
▲７▼  上述の各実施形態では、前記ロック部材５がロック位置にあるとき、前記揺動軸芯Ｘを通る係止部材４の移動方向と平行な線分Ｙよりもロック揺動側に越えた位置において、該ロック部材５の先端５ｂと前記係止部材４の被接当面４ａとが接当するように構成したが、前記線分Ｙ上においてロック部材５の先端５ｂと前記係止部材４の被接当面４ａとが接当するように構成してもよい。
【００３６】
尚、特許請求の範囲の項に図面との対照を便利にするために符号を記すが、該記入により本発明は添付図面の構成に限定されるものではない。
【図面の簡単な説明】
【図１】第１実施形態を示す観音開き式開閉扉を備えた家具の全体斜視図
【図２】（イ）は一方の開閉扉２Ｂを閉止操作したときの要部の斜視図
（ロ）は両開閉扉２Ａ，２Ｂが閉じ姿勢にあるときの要部の斜視図
【図３】（イ）は鍵装置Ａが係止状態にあるときの水平断面図
（ロ）は鍵装置Ａが係止解除操作されたときの水平断面図
【図４】鍵装置Ａの分解斜視図
【図５】ロック装置Ｂの分解斜視図
【図６】ロック装置Ｂの縦断面側面図
【図７】ロック装置Ｂの縦断面側正面図
【図８】（イ）は係止部材が係止位置にあるときの縦断面図
（ロ）は係止部材が係止解除位置に移動したときの縦断面図
（ニ）はロック部材がロック位置に揺動したときの縦断面図
【図９】ロック位置よりもロック解除位置側にあるロック部材と係止部材との係合状態を示す縦断面図
【図１０】第２実施形態を示すロック装置の縦断面図
【図１１】第３実施形態を示すロック装置の縦断面図
【図１２】（イ）は従来の開閉扉用ロック装置の係止状態を示す要部の側面図
（ロ）は係止解除状態を示す要部の側面図
【符号の説明】
Ｘ      揺動軸芯
Ｙ      線分
Ｚ      中心線
Ｐ      扉接当面
１      扉取付け用固定部
２Ａ    開閉扉
２Ｂ    開閉扉
３      被係止部（第２被係止部）
４      係止部材
４Ａ    係合部
４Ｃ    長孔
４ａ    カム面
４ｂ    被接当面
５      ロック部材
５Ａ    揺動軸部
５Ｂ    ロックアーム部
５ｂ    先端
６      復帰付勢体（捩じりコイルバネ）
７      ケーシング
７ａ    扉取付け面
８      突出付勢体
８Ａ    コイルスプリング
８Ｂ    コイルスプリング
９      作動アーム
１１    凹部
３１    ケース
３１Ｂ  軸受け部
３１Ｃ  筒状体
３１Ｄ  受け面
３１ａ  取付け孔
３２    蓋体
３２Ａ  軸押え部
【図１】
0003620915.tif 000002
【図２】
0003620915.tif 000003
【図３】
0003620915.tif 000004
【図４】
0003620915.tif 000005
【図５】
0003620915.tif 000006
【図６】
0003620915.tif 000007
【図７】
0003620915.tif 000008
【図８】
0003620915.tif 000009
【図９】
0003620915.tif 000010
【図１０】
0003620915.tif 000011
【図１１】
0003620915.tif 000012
【図１２】
0003620915.tif 000013